(57)【要約】      （修正有）【課題】ハンドグリップ付きビデオ・システムのカメラ本体、およびビデオ・システムを提供する。【解決手段】  ビデオ・システムのカメラ本体が、カバー要素からなるハウジングを有する。カバー要素のうち、ハンドグリップの領域で共に嵌合してハウジングの一部分を形成する２つのカバー要素が、ハウジングのハンドグリップも形成する。このようにハンドグリップをカバー要素と一体化させることにより、製造する必要のある要素はより少なくなり、ハンドグリップのための別個の付属品はもはや不要である。この結果、製造コストおよび組立て時間が削減され、ハウジングへのハンドグリップの固定は、緩む可能性のあるネジでの固定よりもずっと強力になる。【選択図】図２
2007074719.tif 000002
【特許請求の範囲】
【請求項１】
カバー要素を備えるハウジングと、ハンドグリップとを有するビデオ・システムのカメラ本体であって、
前記ハンドグリップの領域で共に嵌合して前記ハウジングの一部分を形成する、前記カバー要素のうちの２つが、前記ハンドグリップも形成する、前記カメラ本体。
【請求項２】
前記２つのカバー要素はそれぞれ、カバー・セクションおよびグリップ・セクションを備え、
前記カバー・セクションは共に嵌合して前記ハウジングの前記部分を形成し、前記グリップ・セクションは共に嵌合して前記ハンドグリップを形成する、請求項１に記載のカメラ本体。
【請求項３】
前記２つのカバー要素のグリップ・セクションの両方は前記ハンドグリップ中に少なくとも１つの空洞空間を生み出す、請求項１または２に記載のカメラ本体。
【請求項４】
前記空洞空間の少なくとも１つは、前記グリップ・セクション中の少なくとも１つの外部開口に繋がり、
前記外部開口は、前記ハンドグリップの前記空洞空間を前記ハウジングの周囲と接続する、請求項３に記載のカメラ本体。
【請求項５】
前記空洞空間の少なくとも１つは、前記カバー・セクション中の少なくとも１つの内部開口に繋がり、
前記内部開口は、前記空洞空間を前記ハウジングの内部空間と接続する、請求項３または４に記載のカメラ本体。
【請求項６】
前記２つのカバー要素はそれぞれ、前記カバー・セクションとしての側面カバー・セクションおよび上部カバー・セクション、並びに前記グリップ・セクションを備え、
前記側面カバー・セクションは、それぞれ前記ハウジングの２つの側面のうち一方を形成し、
前記上部カバー・セクションは共に嵌合して前記ハウジングの上部を形成し、
前記グリップ・セクションは共に嵌合して前記ハンドグリップを形成する、請求項２から５の何れか一項に記載のカメラ本体。
【請求項７】
電子デバイス、例えばＰＣＢが、内部開口の領域に配置される、前記請求項の何れか一項に記載のカメラ本体。
【請求項８】
他の電子デバイス、例えばＵＳＢ接続用およびＦｉｒｅＷｉｒｅ接続用のジャックが、前記ハンドグリップの空洞空間中の前記外部開口の前に配置される、前記請求項の何れか一項に記載のカメラ本体。
【請求項９】
電子ビュー・ファインダが、前記ハンドグリップの空洞空間の前部に配置され、
前記ビュー・ファインダは、好ましくは水平に延び、前記外部開口を通過する、前記請求項の何れか一項に記載のカメラ本体。
【請求項１０】
前記請求項の何れか一項に記載のカメラ本体を有する、前記ビデオ・システム。
【発明の詳細な説明】
【技術分野】
【０００１】
本発明は、請求項１のプリアンブルに記載のハンドグリップ（ｈａｎｄｇｒｉｐ：取っ手）付きビデオ・システムのカメラ本体、および対応するビデオ・システムに関する。ビデオ・カメラや、カメラとレコーダとを備えるカムコーダなど、ビデオ・システムは、少なくとも１つのハンドグリップ（取っ手）を上部または１つの側面に備えるカメラ本体を使用する。
【背景技術】
【０００２】
本出願人に知られているビデオ・システム、特に専門家用のカムコーダ（ｃａｍｃｏｄｅｒ：ビデオカメラ）は、カメラとレコーダが内部で一体化されたハウジング（筐体）と、光学システムなどのコンポーネント、例えばレンズ・ユニットや電子ビュー・ファインダとを備えるカメラ本体を有する。その他の可能なコンポーネントは、例えば回転可能なＬＣＤ画面などの画面、および、例えばランプなどの光モジュールである。ハウジングは、カバー要素、即ち下部カバー、上部カバー、２つの側面カバー、前部カバー、および後部カバーを含んでいる。
【０００３】
知られている専門家用カムコーダのカメラ本体は、上部カバーに取り付けられた別個の要素であるハンドグリップも備えている。付属品なので、ハンドグリップは両端にソケットを有し、ネジで固定される。ネジは、ハンドグリップの両端およびソケットを通り、上部カバー中に延びる。このようなハンドグリップは、製造してからハウジングに組み立てるのに過大な作業を必要とする。加えて、このようなハンドグリップの中には、使いづらいものや、見た目の美しさの点で魅力的でないものがある。従来のビデオ・カメラには、グリップを施したものはある（例えば、特許文献１参照）。しかし、従来のビデオ・カメラのグリップは、本願発明のように取っ手状のハンドグリップとは異なる構造・形状を有している（特許文献１の第４図および第５図参照。）。
【特許文献１】特開昭５９−５７５８０号公報
【発明の開示】
【発明が解決しようとする課題】
【０００４】
従って、前述の不都合を回避する、請求項１のプリアンブル（前提部）に記載のハンドグリップ付きビデオ・システムのカメラ本体、および対応するビデオ・システムを開発することが望ましい。このハンドグリップは、製造してカメラ本体のハウジングに組み立てるのに必要な労力がより少ないものであるべきである。このハンドグリップはまた、使いやすく、見た目の美しさの点で魅力的であるべきである。
【０００５】
本発明によれば、これは請求項１および請求項７の特徴によって達成することができる。
【課題を解決するための手段】
【０００６】
カバー要素のうち、ハンドグリップの領域で共に嵌合してハウジングの一部分を形成する２つのカバー要素が、ハンドグリップも形成する。具体的には、２つのカバー要素は、共に嵌合してハウジングのこの部分を形成し、また、共に嵌合してハンドグリップも形成する。従って、ハンドグリップは、カバー要素と一体であり、且つカメラ本体のハウジング中にある。
【０００７】
この結果、ハンドグリップは、２つのカバー要素と同時に製造される。加えて、ハンドグリップは、２つのカバー要素が共に嵌合されてハウジングのこの部分が形成されるときに、自動的に生み出される。
【０００８】
ハンドグリップをカバー要素と一体化させることにより、製造する必要のある要素はより少なくなる。ハンドグリップのための別個の付属品はもはや不要である。この結果、製造コストおよび組立て時間が削減される。ハウジングへのハンドグリップの固定は、緩む可能性のあるネジでの固定よりもずっと強力である。
【０００９】
ハンドグリップが配置されるハウジング部分は、側面カバーおよび／または上部カバーとする。専門家用カムコーダのハンドグリップの好ましい位置は、上部であり、２つのカバー要素がハウジングの上部カバーを形成する。
【００１０】
本発明の有利な発展型については、従属請求項に指定する。
【００１１】
２つのカバー要素はそれぞれ、カバー・セクションおよびグリップ・セクションを備えることができ、２つのカバー要素のカバー・セクションはハウジング部分を形成し、グリップ・セクションはハンドグリップを形成する。
【００１２】
グリップ・セクションは棒の形を有することができ、その両端はカバー・セクションに流れる。グリップ・セクションによって形成されたハンドグリップは、ハウジングから離れていてよい。或いは、カバー・セクションによって形成されたハウジング部分は、ハンドグリップの下で空洞の形を有してよい。
【００１３】
この発明的な特徴は、ハンドグリップの形状を定める際に多くの自由度をもたらす。人間工学的と美的との両面を考慮する。
【００１４】
２つのカバー要素のグリップ・セクションの両方が、少なくとも１つの空洞空間を生み出すことができる。こうするために、グリップ・セクションは、長い皿または溝の形を有する。このような空洞空間は、電子機構など、コンポーネントおよび他のデバイスのための場所を提供する。
【００１５】
空洞空間の少なくとも１つは、グリップ・セクション中の外部開口に繋がることができ、この外部開口は、空洞空間をハウジングの周囲と接続する。このような空洞空間は、電子ビュー・ファインダなど他のコンポーネントのための、或いはＵＳＢまたはファイヤーワイヤー（ＦｉｒｅＷｉｒｅ）接続用ジャックなどの電子接続のための場所を提供する。
【００１６】
空洞空間の少なくとも１つは、カバー・セクション中の内部開口に繋がることができ、この内部開口は、空洞空間をハウジング中の内部空間と接続する。これにより、空洞空間中に配置されたコンポーネントおよび／またはデバイスを、ハウジングの内部空間にあるコンポーネントおよび／またはデバイスと接続する。
【００１７】
従って、内部開口は、カバー・セクションによって形成されたハウジングの一部分に位置する。内部開口は、グリップ・セクションによってカバーされるべきである。
【００１８】
上部カバーおよびハンドグリップを形成することに加えて、２つのカバー要素は、ハウジングの２つの側面カバーも形成することが好ましい。こうするために、２つのカバー要素はそれぞれ、カバー・セクションとしての側面カバー・セクションおよび上部カバー・セクション、並びにグリップ・セクションを備えている。製造して組み立てる必要のある要素の数が、更に最小限に抑えられる。
【００１９】
本発明を、各図に示す一実施形態を用いて更に詳細に説明する。
【発明を実施するための最良の形態】
【００２０】
本発明の一実施形態のカメラ本体は、ハウジングを有し、図１にその横断面を示す。このハウジングは、以下のカバー要素を備えている。即ち、下部カバー１、２つのカバー要素（一方は左カバー要素２、もう一方は右カバー要素３）、前部カバー（図１では見えない）、および後部カバー４である。カバー要素２、３は、矢印で示す。前後、また左右など、方向の終端が、図１の図に対応する。従って、図２で矢印５として示すレンズ・ユニットが、ハウジングの後部に配置されている。
【００２１】
カバー要素２、３はそれぞれ、側面カバー・セクション６、７、上部カバー・セクション８、９、およびグリップ・セクション１０、１１を備えている。
【００２２】
図１では、カバー要素２、３の側面カバー・セクション６、７が下部カバー１に嵌合しているのが示してある。左カバー要素２の側面カバー・セクション６は、ハウジングの左側面を形成し、右カバー要素３の側面カバー・セクション７は、ハウジングの右側面を形成する。カバー要素２、３は相互に数回にわたり嵌合され、２つのカバー要素２、３の上部カバー・セクション８、９の両方がハウジングの上部を形成し、２つのカバー要素２、３のグリップ・セクション１０、１１の両方がハンドグリップを形成する。
【００２３】
嵌合の１つは、第１の接続線（矢印１２参照）に沿ったその上部カバー・セクション８、９の嵌合である。他の２つの嵌合は、下方の第２の接続線（矢印１３参照）および上方の第３の接続線（矢印１４参照）に沿ったそのグリップ・セクション１０、１１の嵌合である。全ての接続線は、ハンドグリップの垂直中間平面（矢印Ｍ参照）を通る。３つの接続線および中間平面は、ハンドグリップを基準として長手方向に延びる。全ての接続線は、相互に対して平行に延びる。
【００２４】
別法として、１つまたは複数の接続線が、ハンドグリップの垂直中間平面の脇を通ってもよい。全ての接続線は、ハンドグリップの領域を通過する必要がある。これらは相互に平行である必要はない。
【００２５】
２つのカバー要素２、３の形状、即ちその対応するセクション６と７、８と９、並びに１０と１１の形状は、ほぼ同じである。カバー要素２、３の形状について、図２に示す右カバー要素３を利用して述べる。図２は、ハンドグリップの垂直中間平面から約１ｍｍ横にとった、ハウジングの縦断面Ｂ−Ｂである。図２には特に、右カバー要素３の縦断面を示す。
【００２６】
ハウジングの右側面を形成することにより、右カバー要素３の側面カバー・セクション７は垂直方向に延びる。その上縁で、上部カバー・セクション９に回る。セクション７、９の両方が、ほぼ直角を形成する。
【００２７】
上部カバー・セクション９は、ほぼ水平方向に延び、第１の接続線で左カバー要素２の上部カバー・セクション８に嵌合する。
【００２８】
右カバー要素３のグリップ・セクション１１は、少なくともその中間では、溝または長い皿の形状を有する。この溝は、その空洞即ちグリップ・セクション１１の空洞が左カバー要素２のグリップ・セクション１０の対応する空洞に面するようにして配置される。溝の２つの空洞は、ハンドグリップ中で共通の長手方向の空洞空間１５を形成する。グリップ・セクション１０、１１の２つの溝は、下方および上方の接続線（矢印１３、１４参照）に沿って共に嵌合し、ハンドグリップおよびその空洞空間１５を形成する。カバー要素によって形成されたハウジングの上部にハンドグリップがあるこの実施形態では、溝の幅が垂直に配置される。
【００２９】
右カバー要素３のグリップ・セクション１１は、後端即ち図２の左側で、上部カバー・セクション９に曲がる。上部カバー・セクション９は、この領域に開口を有する。この開口は、左カバー要素２の上部カバー・セクション８の対応する開口に面する。２つの開口は、ハウジングの上部で共通の内部開口１６を形成し、内部開口１６は、ハンドグリップの空洞空間１５をハウジングの内部空間１７に接続する。この内部開口１６は、グリップ・セクション１０、１１でカバーされる。
【００３０】
右カバー要素３のグリップ・セクション１１は、その前端即ち図２の右側でも、上部セクション９と同様にして曲がる。ハンドグリップの空洞空間１５をハウジングの内部空間１７に接続する、カバー・セクション８、９中の別の内部開口１８が設けられる。図２では、ハンドグリップの前端が、ハウジングの前部のすぐ近くでハウジングの上部に接続しているのが示してある。この実施形態では、グリップ・セクション１０、１１の一部が上部カバー・セクション８、９に回っており、また、別の部分が側面カバー・セクション６、７に回ってもよい。
【００３１】
右カバー要素３のグリップ・セクション１１は、その前端および後端で外部開口を生み出す。これらの開口はそれぞれ、左カバー要素２のグリップ・カバー・セクション１０の対応する開口に面する。対応する開口の対はそれぞれ、共通の外部開口１９、２０、２１を形成し、これらの外部開口は、ハンドグリップの空洞空間１５を周囲と接続する。
【００３２】
グリップ・セクション１０、１１は、その端が広くなっていてよい。この結果、ハンドグリップ並びにその空洞空間１５は、この領域で広くなる。
【００３３】
ハンドグリップの空洞空間１５の前部には、電子ビュー・ファインダ２２が配置される。ビュー・ファインダ２２は、水平に延びて外部開口１９を通過する。ビュー・ファインダ２２をハンドグリップ中に配置することにより、ビュー・ファインダ２２を非常にしっかりと固定する。
【００３４】
内部開口１８の領域および内部開口１６の領域には、ＰＣＢ（プリント基板）などの電子デバイス２３、２４が配置される。
【００３５】
ハンドグリップの空洞空間１５中の、外部開口２０、２１の前には、ＵＳＢ接続用およびファイヤーワイヤー（ＦｉｒｅＷｉｒｅ）接続用のジャックなど、他の電子デバイス２５、２６が配置される。
【００３６】
ビュー・ファインダ２２は、内部開口１８中のデバイス２３と接続させることができ、デバイス２５、２６は、内部開口１６中のデバイス２４と接続させることができ、更に、コンポーネントおよびデバイス２２、２３、２４、２５、２６は全て、図２に示されていないハウジングの内部空間１７中のデバイスと接続させることができる。
【００３７】
別法として、グリップ・セクション１０、１１は、ハンドグリップ中に多くの空洞空間を生み出してもよい。
【００３８】
以下に他の実施例を例示する。
（１）カバー要素を備えるハウジングと、ハンドグリップとを有するビデオ・システムのカメラ本体であって、
前記ハンドグリップの領域で共に嵌合して前記ハウジングの一部分を形成する、前記カバー要素のうちの２つ（２、３）が、前記ハンドグリップも形成する、前記カメラ本体。
（２）前記２つのカバー要素（２、３）はそれぞれ、カバー・セクションおよびグリップ・セクション（１０、１１）を備え、
前記カバー・セクションは、共に嵌合して前記ハウジングの前記部分を形成し、前記グリップ・セクション（１０、１１）は共に嵌合して前記ハンドグリップを形成する、（１）に記載のカメラ本体。
（３）前記２つのカバー要素（２、３）のグリップ・セクション（１０、１１）の両方は前記ハンドグリップ中に少なくとも１つの空洞空間（１５）を生み出す、（１）または（２）に記載のカメラ本体。
（４）前記空洞空間（１５）の少なくとも１つは、前記グリップ・セクション（１０、１１）中の少なくとも１つの外部開口（１９、２０、２１）に繋がり、
前記外部開口（１９、２０、２１）は、前記ハンドグリップの前記空洞空間（１５）を前記ハウジングの周囲と接続する、（３）に記載のカメラ本体。
（５）前記空洞空間（１５）の少なくとも１つは、前記カバー・セクション中の少なくとも１つの内部開口（１６、１８）に繋がり、
前記内部開口（１６、１８）は、前記空洞空間（１５）を前記ハウジングの内部空間（１７）と接続する、（３）または（４）に記載のカメラ本体。
（６）前記２つのカバー要素（２、３）はそれぞれ、前記カバー・セクションとしての側面カバー・セクション（６、７）および上部カバー・セクション（８、９）、並びに前記グリップ・セクション（１０、１１）を備え、
前記側面カバー・セクション（６、７）は、それぞれ前記ハウジングの２つの側面のうち一方を形成し、
前記上部カバー・セクション（８、９）は、共に嵌合して前記ハウジングの上部を形成し、
前記グリップ・セクション（１０、１１）は、共に嵌合して前記ハンドグリップを形成する、（２）から（５）の何れか一項に記載のカメラ本体。
（７）電子デバイス（２３、２４）、例えばＰＣＢが、内部開口（１８、１６）の領域に配置される、（１）から（６）の何れか一項に記載のカメラ本体。
（８）他の電子デバイス（２５、２６）、例えばＵＳＢ接続用およびＦｉｒｅＷｉｒｅ接続用のジャックが、前記ハンドグリップの空洞空間（１５）中の前記外部開口（２０、２１）の前に配置される、（１）から（７）の何れか一項に記載のカメラ本体。
（９）電子ビュー・ファインダ（２２）が、前記ハンドグリップの空洞空間（１５）の前部に配置され、
前記ビュー・ファインダ（２２）は、好ましくは水平に延び、前記外部開口（１９）を通過する、（１）から（８）の何れか一項に記載のカメラ本体。
（１０）（１）から（９）の何れか一項に記載のカメラ本体を有する、前記ビデオ・システム。
【図面の簡単な説明】
【００３９】
【図１】本実施形態のカメラ本体におけるハウジングの概略横断面Ａ−Ａの図である。
【図２】図１に示すハウジングの概略縦横断面Ｂ−Ｂの図である。
【符号の説明】
【００４０】
１  下部カバー
２  左カバー要素
３  右カバー要素
４  後部カバー
５  レンズ・ユニット
６、７  側面カバー・セクション
８、９  上部カバー・セクション
１０、１１  グリップ・セクション
１５  空洞空間
１６、１８  内部開口
１７  内部空間
１９、２０、２１  外部開口
２２  電子ビュー・ファインダ
２３、２４  ＰＣＢなどの電子デバイス
２５、２６  ＵＳＢ接続用およびファイヤーワイヤー（ＦｉｒｅＷｉｒｅ）接続用のジャックなどの電子デバイス
【図１】
2007074719.tif 000003
【図２】
2007074719.tif 000004